(57)【特許請求の範囲】
【請求項１】
前側に引き出すことにより着脱可能であり記録紙を収納する記録紙収納部と、
前記記録紙収納部から給送された記録紙に画像を形成する画像形成部と、
画像データを記憶する情報記憶装置と、を備えた画像形成装置であって、
前記画像形成部は前記記録紙収納部と前記情報記憶装置との間に介在して配置され、且つ、前記記録紙収納部は前記画像形成装置内における下部であって前側に配置され、前記情報記憶装置は前記画像形成装置内における最上部であって最奥側に配置され、
前記情報記憶装置はディスク状記憶媒体を有し、該ディスク状記憶媒体の情報記憶面が前記本体の背面に平行であるように、前記情報記憶装置は縦に配置されたことを特徴とする画像形成装置。
【請求項２】
前記情報記憶装置は前記画像形成装置の上面から突出するように配置されていることを特徴とする請求項１に記載の画像形成装置。
【請求項３】
前記画像形成装置は、原稿を自動的に搬送する自動原稿搬送装置を有し、
前記自動原稿搬送装置は前記画像形成装置の上面に配置されていることを特徴とする請求項１又は２に記載の画像形成装置。
【請求項４】
前記自動原稿搬送装置は、前記画像形成装置の上面に配置された状態から、奥側を支軸として前側の開閉動作が可能であり、
前記情報記憶装置は、前記自動原稿搬送装置よりも奥側であって、前記自動原稿搬送装置の開き動作においても前記自動原稿搬送装置が接触しない位置に配置されていることを特徴とする請求項３に記載の画像形成装置。
【請求項５】
前記記録紙収納部は、容量が異なる複数の給紙トレイを有し、
最大容量の給紙トレイを前記画像形成装置内における最下部に配置することを特徴とする請求項１乃至４のいずれか１項に記載の画像形成装置。
【請求項６】
前記情報記憶装置が収納されるハウジングを有し、該ハウジングは、前記本体から上方に突出するとともに、開閉可能な部分を有することを特徴とする請求項１乃至５のいずれか１項に記載の画像形成装置。
【請求項７】
前記ハウジングは通風孔を有することを特徴とする請求項６に記載の画像形成装置。
【請求項８】
前記ハウジングの左右方向の幅Ｗ１は前記本体の前記左右方向の幅Ｗ２よりも小さいことを特徴とする請求項６又は７に記載の画像形成装置。
【発明の詳細な説明】
【技術分野】
【０００１】
本発明は、少なくとも画像データを記憶し読み取ることができる情報記憶装置を有する画像形成装置に関する。
【背景技術】
【０００２】
電子写真プロセスにより画像を形成する画像形成装置など、高速の画像形成装置においては、大量の画像データの記憶読取を可能とするために、ハードディスクドライブ（以下ＨＤＤという）を有するものが多くなってきている。
【０００３】
ＨＤＤは、衝撃に対する強度が高くなく、これを画像形成装置に組み込む場合に、衝撃に対する対策が望まれる。
【０００４】
画像形成装置の運搬や設置の際に生ずる衝撃に対する対策のみでは十分ではなく、使用時の衝撃や装置の作動によって発生する衝撃に対する対策が提案されている。
【０００５】
特許文献１では、ＨＤＤのピックアップアームの長手方向を給紙方向と一致させたシリアルプリンタが提案されている。
【０００６】
特許文献１の画像形成装置では、キャリッジの走査方向にもＨＤＤのピックアームの長手方向を一致させている。
【０００７】
特許文献２では、多段の給紙トレイの出し入れ方向をＨＤＤのピックアップアームの長手方向に一致させた画像形成装置が提案されている。
【特許文献１】特開平９−３１４８５号公報
【特許文献２】特開２００５−８８５５４号公報
【発明の開示】
【発明が解決しようとする課題】
【０００８】
特許文献１、２の提案では、給紙トレイの出し入れ方向にＨＤＤのピックアップアームの長手方向を一致させてはいるが、ＨＤＤが給紙トレイの近くに配置されている。このために、給紙トレイの出し入れ方向にピックアップアームの長手方向を一致させとしても、給紙トレイの出し入れ時に発生する衝撃に対して、ＨＤＤを十分に保護することができない。
【０００９】
本発明は、搭載されたＨＤＤ等の情報記憶装置が衝撃に対して十分に保護された画像形成装置を提供することを目的とする。
【課題を解決するための手段】
【００１０】
前記目的は、下記の発明により達成される。
１．
前側に引き出すことにより着脱可能であり記録紙を収納する記録紙収納部と、
前記記録紙収納部から給送された記録紙に画像を形成する画像形成部と、
画像データを記憶する情報記憶装置と、を備えた画像形成装置であって、
前記画像形成部は前記記録紙収納部と前記情報記憶装置との間に介在して配置され、且つ、前記記録紙収納部は前記画像形成装置内における下部であって前側に配置され、前記情報記憶装置は前記画像形成装置内における最上部であって最奥側に配置され、
前記情報記憶装置はディスク状記憶媒体を有し、該ディスク状記憶媒体の情報記憶面が前記本体の背面に平行であるように、前記情報記憶装置は縦に配置されたことを特徴とする画像形成装置。
２．
前記情報記憶装置は前記画像形成装置の上面から突出するように配置されていることを特徴とする前記１に記載の画像形成装置。
３．
前記画像形成装置は、原稿を自動的に搬送する自動原稿搬送装置を有し、
前記自動原稿搬送装置は前記画像形成装置の上面に配置されていることを特徴とする前記１又は前記２に記載の画像形成装置。
４．
前記自動原稿搬送装置は、前記画像形成装置の上面に配置された状態から、奥側を支軸として前側の開閉動作が可能であり、
前記情報記憶装置は、前記自動原稿搬送装置よりも奥側であって、前記自動原稿搬送装置の開き動作においても前記自動原稿搬送装置が接触しない位置に配置されていることを特徴とする前記３に記載の画像形成装置。
５．
前記記録紙収納部は、容量が異なる複数の給紙トレイを有し、
最大容量の給紙トレイを前記画像形成装置内における最下部に配置することを特徴とする前記１乃至４のいずれかに記載の画像形成装置。
６．
前記情報記憶装置が収納されるハウジングを有し、該ハウジングは、前記本体から上方に突出するとともに、開閉可能な部分を有することを特徴とする前記１乃至５のいずれかに記載の画像形成装置。
７．
前記ハウジングは通風孔を有することを特徴とする前記６に記載の画像形成装置。
８．
前記ハウジングの左右方向の幅Ｗ１は前記本体の前記左右方向の幅Ｗ２よりも小さいことを特徴とする前記６又は７に記載の画像形成装置。
【発明の効果】
【００１１】
本発明においては、電子写真方式により記録紙上に画像を形成する画像形成部を情報記憶装置と記録紙収納部との間に介在させている。
【００１２】
これにより、大きな質量と容積を有する画像形成部を隔てて情報記憶装置と記録紙収納部とが配置された構造となる。
【００１３】
従って、記録紙収納部の着脱動作時に発生する衝撃は画像形成部により緩和されるとともに、情報記憶装置と記録紙収納部との間の距離を大きくとることが可能となり、衝撃波が減衰する。
【００１４】
その結果、記録紙収納部の着脱による情報記憶装置の損傷を十分に防止することができる。
【発明を実施するための最良の形態】
【００１５】
以下、本発明を図示の実施の形態を用いて説明するが、本発明は該実施の形態に限られない。
【００１６】
図１は本発明の実施の形態に係る画像形成装置の側面断面図である。
【００１７】
画像形成装置１は本体１Ａ及び自動原稿搬送装置１４を有する。
【００１８】
図１において、左側が、オペレータが操作する前側Ｆであり、右側が奥側Ｒである。
【００１９】
本体１Ａは、画像読取部１０、電子写真方式により記録紙上に画像を形成する画像形成部１１、裏面画像形成用の給紙部１２及び記録紙を収納する記録紙収納部としての給紙トレイ１３Ａ、１３Ｂ、１３Ｃを有する。
【００２０】
画像読取部１０と像形成部１１と記録紙収納部とは、画像読取部１０が最も上、画像形成部１１が中間、記録紙収納部が最も下となるように配置される。
【００２１】
本体１Ａは、互いにほぼ平行な前面と背面、互いにほぼ平行な右側面と左側面を有する直方体の外形を有する。
【００２２】
画像形成部１１は、周知のように、帯電装置、露光装置、現像装置、転写装置、クリーニング装置及び定着装置を有する。
【００２３】
また、中間転写体を用いた画像形成部では、帯電装置、露光装置、現像装置、クリーニング装置及び定着装置の他に、中間転写体、１次転写装置及び２次転写装置が配置される。
【００２４】
本体１Ａの上面には、開閉自在な自動原稿搬送装置１４が配置されている。
【００２５】
周知のように、給紙トレイ１３Ａ、１３Ｂ、１３Ｃから記録紙が１枚ずつ順次搬出され、画像形成部１１において、帯電、露光及び現像により形成された画像が記録紙上に転写される。
【００２６】
転写された画像は定着装置（図示せず）により記録紙に定着される。
【００２７】
片面画像形成においては、記録紙の片面に画像が形成された記録紙が排紙トレイ（図示せず）に排出される。
【００２８】
また、両面画像形成においては、表面に画像が形成された記録紙が給紙部１２に搬送され、表裏反転された後に、裏面に画像が形成され定着されて排出される。
【００２９】
画像読取部１０の原稿読取により生成した画像データ又は外部機器から受信した画像データに基づいて、画像形成部１１において画像が形成され、記録紙に転写される。
【００３０】
本体１Ａの上面を開放することができるように、自動原稿搬送装置１４は図１（ａ）に示す状態から図１（ｂ）に示す状態に、奥側Ｒの軸１４Ａを中心として回転自在に設けられており、原稿読取時には、図１（ａ）の状態に設定される。
【００３１】
画像読取部１０はプラテンガラス１０ａを有し、プラテンガラス１０ａに載置された原稿を読み取ることができるとともに、自動原稿搬送装置１４により搬送される原稿を読み取ることができる。
【００３２】
自動原稿搬送装置１４はプラテンガラス１０ａ上に原稿を載置する際に、図１（ｂ）に示すように開かれる。
【００３３】
画像形成装置１に記録紙を補給する際には、給紙トレイ１３Ａ、１３Ｂ、１３Ｃが矢印Ａで示す方向、即ち、前側Ｆに引き出される。
【００３４】
記録紙が補給された給紙トレイ１３Ａ、１３Ｂ、１３Ｃが矢印Ａと反対の矢印Ｂで示す方向に移動させる、即ち、給紙トレイ１３Ａ、１３Ｂ、１３Ｃを奥側Ｒに押し込むことにより、給紙トレイ１３Ａ、１３Ｂ、１３Ｃが装填され、給紙が完了する。
【００３５】
情報記憶装置としてのＨＤＤ１５は、画像形成装置１の最上部であり、且つ、奥側Ｒに配置されいてる。
【００３６】
ＨＤＤ１５は、画像データを始めとする各種のデータを記憶するとともに、各種の制御のためのプログラムを記憶する情報記憶装置である。
【００３７】
画像形成時には、ＨＤＤ１５から画像データが読み出される。
【００３８】
なお、情報記憶装置としては、ＨＤＤの他に、光磁気ディスクドライブ（ＭＯ、ＭＤ）など、ディスク状の記憶媒体を用い、情報の記憶・読取が可能なものを使用することができる。
【００３９】
図示のように、ＨＤＤ１５は、自動原稿搬送装置１４に対して、自動原稿搬送装置１４よりも更に奥側であり、且つ、自動原稿搬送装置１４の開閉を可能にするために自動原稿搬送装置１４から間隔を置いて配置される。
【００４０】
ＨＤＤ１５はハウジング１５Ａ内に収納されており、図示のように、縦に設置される。
【００４１】
ここに、縦に配置されるとは、ディスク状の記憶媒体（ハードディスク）の情報記憶面が本体１Ａの背面ＲＳ（図３参照）に平行となるようにＨＤＤ１５が配置されることを意味する。
【００４２】
ＨＤＤ１５は周知のように、衝撃によりハードディスクやモータベアリングの損傷を受けやすく、衝撃に対する強度が比較的低い部品である。
【００４３】
一方、画像形成装置１においては、給紙トレイ１３Ａ、１３Ｂ、１３Ｃの着脱時に衝撃が発生し、これによりＨＤＤ１５が損傷を受ける場合がある。
【００４４】
図示のように、ＨＤＤ１５は、画像形成装置１内で、下部、且つ、前側Ｆ部に配置された紙トレイ１３Ａ、１３Ｂ、１３Ｃから最も遠い位置である最上部、且つ、最奥部に配置されている。
【００４５】
衝撃波はその発生源からの距離が遠い程、大きく減衰する。また、ＨＤＤ１５と給紙トレイ１３Ａ、１３Ｂ、１３Ｃとの間には、質量の大きな画像形成部１１が介在するので、給紙トレイ１３Ａ、１３Ｂ、１３Ｃの着脱による衝撃は、画像形成部１１により緩和される。
【００４６】
その結果、給紙トレイ１３Ａ、１３Ｂ、１３Ｃの着脱による衝撃で、ＨＤＤ１５が損傷を受けることが防止される。
【００４７】
最も下の給紙トレイ１３Ｃは通常、他の給紙トレイ１３Ａ、１３Ｂより大容量に形成されており、給紙トレイ１３Ｃの着脱により、ＨＤＤ１５が損傷を受ける可能性が高いが、ＨＤＤ１５は大容量の給紙トレイ１３Ｃから最も遠い位置に配置されているので、損傷が特に効果的に防止される。
【００４８】
ＨＤＤ１５は、図示のように、自動原稿搬送装置１４の後方にこれと間隔を置いて配置され、本体１Ａの上面から突出したハウジング１５Ａ内に設けられる。
【００４９】
図２は画像形成装置１の左側上方から見た斜視図である。図３は画像形成装置１の奥側上方から見た斜視図である。
【００５０】
本体１Ａの上には、前記に説明したように自動原稿搬送装置１４及びＨＤＤ１５が配置されるが、ＨＤＤ１５を収容するハウジング１５Ａは、図２に示すように、自動原稿搬送装置１４の奥側、且つ、自動原稿搬送装置１４と間隔を置いて配置される。
【００５１】
また、ハウジング１５Ａは、本体１Ａから上方に突出しており、パネル１５Ｃ、１５Ｄ、１５Ｅを有する。
【００５２】
図１（ｂ）に示すように、自動原稿搬送装置１４を開き、その上面を傾斜させたときに、自動原稿搬送装置１４上に載置された原稿Ｇは自動原稿搬送装置１４から滑落する場合がある。
【００５３】
本体１Ａの上面が平面であると、原稿Ｇは、本体１Ａから床に落下する。即ち、自動原稿搬送装置１４上に原稿Ｇが放置された状態で不用意に自動原稿搬送装置１４の開き操作を行うと、原稿Ｇが画像形成装置１の裏側に落下するという事態が生じうる。
【００５４】
ＨＤＤ１５を奥側Ｒに設けることにより、このような事態がなくなる。
【００５５】
３．５インチＨＤＤは約１００ｍｍ×１５０ｍｍ×２０ｍｍ程度の外径寸法を有するが、図示のように、ＨＤＤ１５を縦に配置することにより、本体１Ａからハウジング１５Ａが突出する高さを、ほぼ自動原稿搬送装置１４の高さにほぼ等しくすることが可能となり、原稿の滑落防止機能をハウジング１５Ａに持たせることが可能となる。
【００５６】
図２に示すように、ハウジング１５Ａは端部のパネル１５Ｃ、上面のパネル１５Ｄ及び前面のパネル１５Ｅを有する。パネル１５Ｃ、１５Ｄ、１５Ｅ及び図示しないが、ハウジング１５Ａを構成するパネルの少なくとも一つは取り外し可能である。
【００５７】
ハウジング１５Ａを構成するパネルを取り外すことにより、ＨＤＤ１５のメンテナンスを行うことができる。
【００５８】
ＨＤＤ１５のハウジング１５Ａが本体１Ａから突出しているので、メンテナンスの作業性が向上する。
【００５９】
図２に示すように、パネル１５Ｃ、１５Ｅにはスリット状の通風孔１５Ｆが設けられている。通風孔１５Ｆを通して外気を流通させることにより、ＨＤＤ１５の温度上昇が抑制される。
【００６０】
また、図３に示すように、ハードディスク１５Ｂの記憶面が本体１Ａの背面ＲＳに平行であるようにＨＤＤ１５が縦に配置される。この配置により、ハウジング１５Ａの奥行き方向の長さが短くなり、自動原稿搬送装置１４の奥側にＨＤＤを配置することが可能となるとともに、ハウジング１５Ａを自動原稿搬送装置１４に対して間隔を置いて形成することが可能となる。なお、図３が画像形成装置１の奥側上方から見た斜視図である。
【００６１】
また、ＨＤＤ１５を収容するハウジング１５Ａの左右方向の幅、即ち、図１における前側Ｆから奥側Ｒに向かう方向に直角な方向の幅Ｗ１を、ＨＤＤ１５が前記の外径寸法を有することから、本体１Ａの前記左右方向の幅Ｗ２よりも小さくすることができる。
【００６２】
これにより、ハウジング１５Ａは本体１Ａから前記左右方向に突出することなく設けられる。
【図面の簡単な説明】
【００６３】
【図１】本発明の実施の形態に係る画像形成装置の側面断面図である。
【図２】画像形成装置１の左側上方から見た斜視図である。
【図３】画像形成装置１の奥側上方から見た斜視図である。
【符号の説明】
【００６４】
１  画像形成装置
１Ａ  本体
１１  画像形成部
１３Ａ、１３Ｂ、１３Ｃ  給紙トレイ
１４  自動原稿搬送装置
１５  ＨＤＤ
１５Ａ  ハウジング
【図１】
0005163146.tif 000002
【図２】
0005163146.tif 000003
【図３】
0005163146.tif 000004